(57)【特許請求の範囲】
【請求項１】
化粧料収納皿を載置する支持枠と、化粧料収納皿を被うカバーシートとを具えたコンパクトであって、
化粧料収納皿の支持枠は、周辺に設けた環状の膨出部と平坦な上壁とを具え、膨出部の所定の個所に下面をえぐった膨出壁が設けられ、該膨出壁と上壁との間にスリットが形成されており、
化粧料収納皿を被うカバーシートには、支持部が設けられ、該支持部がスリットに嵌挿可能とされていることを特徴とするコンパクト。
【請求項２】
スリットに面する上壁端部に、端面を円弧状とした凹部を設け、カバーシートの支持部を湾曲させて挿入できるようにしたことを特徴とする請求項１記載のコンパクト。
【発明の詳細な説明】
【０００１】
【発明の属する技術分野】
本発明は、コンパクト、とくに化粧料収納皿の上面を覆うカバーシートに関する。
【０００２】
【従来の技術】
化粧料収納皿の上面を覆う透明なカバーシートを、コンパクトケース本体に廻動自在に取着し、カバーシートがケース本体から取り外れて紛失しないようにしたコンパクトは、例えば、実公平６−２５８４号、実公平７−１９３７６号公報等に記載されているよう従来より知られている。
【０００３】
【発明が解決しようとする課題】
しかしながら、上記各公報記載の従来技術は、いずれもケース本体にカバーシート取着手段を取り付けており、取付のための部品が必要となり、カバーシートの取着手段への結合も簡単ではないという問題点があった。
【０００４】
本発明は、上記の問題を解決するため、ケース本体を構成する化粧料収納皿の支持枠の一部に差込み部を設け、該差込み部にカバーシートの支持部を装着するようにし、カバーシートとケース本体を簡単に結合するようにしたコンパクトを提供することを目的とする。
【０００５】
【課題を解決するための手段】
本発明は、上記の課題を解決するため、コンパクトとして、化粧料収納皿を載置する支持枠と、化粧料収納皿を被うカバーシートとを具えたコンパクトであって、化粧料収納皿の支持枠は、周辺に設けた環状の膨出部と平坦な上壁とを具え、
膨出部の所定の個所に下面をえぐった膨出壁が設けられ、該膨出壁と上壁との間にスリットが形成されており、化粧料収納皿を被うカバーシートには、支持部が設けられ、該支持部がスリットに嵌挿可能とされていることを特徴とする構成を採用する。
【０００６】
また、スリットに面する上壁端部に、端面を円弧状とした凹部を設け、カバーシートの支持部を湾曲させて挿入できるようにしたことを特徴とする構成を採用する。
【０００７】
【発明の実施の形態】
次に、本発明の実施形態について、図面を参照して説明する。
図１，２において、Ａはケース本体、Ｂはケース本体に取着された支持枠、Ｃは化粧料収納皿、Ｄは化粧料収納皿の上面を覆うカバーシート、Ｅはケース本体に取着された開閉蓋、Ｆはパフである。
【０００８】
ケース本体Ａは、底壁１と底壁１から弧状に立ち上がる側周壁２とを具え、側周壁２の周面の一部には、開閉蓋Ｅを取り付けるための切欠部３が設けられ、コ字状の側周壁４が形成されている。
側周壁２の切欠部３の反対側には、開閉機構を収納するための開口部５が設けられている。
【０００９】
図３，４に示すように、側周壁２の上端面６の内周縁には、段差が形成され、支持枠Ｂを載置する支持面７となっている。
側周壁２の切欠部３、開口部５の中心線に直交する位置には、上端面６と面一とし、内方に突出する一対の突出片８が設けられており、その上面には、突起９が設けられている。
【００１０】
支持枠Ｂの外周縁は、コ字状の側周壁４の上面と切欠部３を除く側周壁２の支持面７の形状と同一の形状となっており、外周縁に沿って、前記支持面７に載置される弧状側壁１０が垂設されている。
支持枠Ｂの周辺の弧状側壁１０の内周に沿って、ほぼ環状の膨出部１１が形成され、その内方には、膨出部１１に連続して上壁１２が連設されている。
【００１１】
図２，４に示すように、支持枠Ｂの中央部には、化粧料収納皿Ｃの受け皿１３が設けられており、該受け皿１３は、前記上壁１２に連続する四つの側壁１４と底壁１５とからなっている。
切欠部３、開口部５の側の両側壁１４の内周には、内方に突出する係止片１６が設けられている。
【００１２】
膨出部１１の前記突出片８に対向する部分は、その下面がえぐられて断面弧状の膨出壁１７が形成されており、該膨出壁１７部分は、突起９の両側面に一致して位置決めされている。
図６に示すように、膨出部１１と上壁１２との間には、一定巾の水平なスリット１８が水平方向に延びるよう穿設されており、スリット１８を形成する上壁１２の端部は、傾斜面となっており、端面を円弧状のえぐり部とした凹部１９が設けられている。
スリット１８の対向する側の膨出部１１には、所定巾の切込み２０が刻設されている。
【００１３】
図３，４に示すように、化粧料収納皿Ｃは、四つの側壁２５と底壁２６とからなり、受け皿１３に嵌挿され、開口部５側の側壁２５は、受け皿１３の側壁内周面との間に隙間が設けられており、中央部に係止凹部２７が形成されている。
【００１４】
図５に示すように、カバーシートＤは、透明なシートまたはフィルムによって形成され、上壁１２を被う円形部３０と、該円形部３０から突出した支持部３１と摘み３２とからなっており、支持部３１の先端両側は、側部より突出した係止片３３となっている。
前記支持部３１は、スリット１８に挿入されるが、図６に示すように、支持部３１の係止片３３の巾ａは、スリット１８の巾ｃより大きく、支持部３１の根本部の巾ｂは、スリット１８の巾ｃよりやや小さくなっている。
【００１５】
挿入にあたっては、上壁１２のスリット１８側の端部には、端面を円弧状とした凹部１９が設けられているので、係止片３３の部分を湾曲させると容易に押し込むことができ、通常時には平面に戻るので、係止片３３がスリット１８の両側に引っかかり、抜け出ることはない。
そして、使用時には、カバーシートＤは、スリット１８を支軸として廻動させることができる。
【００１６】
図２，３に示すように、開閉蓋Ｅは、頂壁４０と頂壁４０より断面弧状に垂下する側周壁４１とを具えており、ケース本体Ａの切欠部３に対応する位置には、蝶番用の連結片４２が垂設されている。
連結片４２には、蝶番用軸孔４３が穿設されており、ケース本体Ａの切欠部３に架設された蝶番ピンに枢支され、ばねによって開蓋方向に付勢されている。
側周壁４１の連結片４２の反対側には、係止片４４が設けられており、開閉機構４５の係止部に係合されるようになっている。
頂壁４０の裏面には、鏡４６が取り付けられている。
【００１７】
開閉機構４５は、押え４７と係止片４４に係合する係止部４８と、ばね部材４９とからなっており、押え４７の指先による押圧操作に応じて、係止片４４が係止部４８から外れ、開閉蓋Ｅが開くようになっている。
【００１８】
次に、本発明コンパクトの作用効果について説明する。
コンパクトの使用にあたっては、開閉蓋Ｅを開いてパフＦを取り出し、次いで、切込み２０に指先を入れ、カバーシートＤの摘み３２を持ってカバーシートＤをめくり上げ、スリット１８を支軸として少なくとも９０゜以上廻動させると、カバーシートＤの支持部３１は、上壁１２のスリット１８側端面に接触し、カバーシートＤのそれ以上の廻動を阻止し、反転位置に維持される。
次いで、化粧料収納皿Ｃを露出させ、パフＦに化粧料を付着させて、肌に塗布する。
【００１９】
使用後に、カバーシートＤを復元させると、化粧料収納皿Ｃを被い、その上にパフＦを置いて、開閉蓋Ｅを閉じることができる。
【００２０】
【発明の効果】
本発明は、上記のように構成されているから、次の効果を奏する。
支持枠に、上壁と、上壁から膨出する膨出壁を設け、該膨出壁にスリットを形成し、該スリットにカバーシートの支持部を廻動自在に装着するようにしたから、使用にあたって、カバーシートを廻動して反転位置に維持することができ、またカバーシートが支持枠から外れて紛失することがない。
【図面の簡単な説明】
【図１】本発明コンパクトの斜視図である。
【図２】コンパクトの正面断面図である。
【図３】開蓋した状態の支持枠の一部を取り除いた上面図である。
【図４】開蓋した状態の側面断面図である。
【図５】  カバーシートの説明図である。
【図６】  カバーシート取付部の説明図で、（ａ）は断面図、（ｂ）は図（ａ）のＡ−Ａ線における断面図である。
【符号の説明】
Ａ          ケース本体
Ｂ          支持枠
Ｃ          化粧料収納皿
Ｄ          カバーシート
Ｅ          開閉蓋
Ｆ          パフ
１４        側壁
１５        底壁
１７        膨出壁
１８        スリット
１９        凹部
２０        切込み
２５        側壁
２６        底壁
３０        円形部
３１        支持部
３２        摘み
３３        係止片
【図１】
0003845253.tif 000002
【図２】
0003845253.tif 000003
【図３】
0003845253.tif 000004
【図４】
0003845253.tif 000005
【図５】
0003845253.tif 000006
【図６】
0003845253.tif 000007